【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
複数のジョイストと、
複数のハブと
を備えるワークプラットフォーム支持システムであって、
ここで、複数のジョイストが４つのジョイストを含み、複数のハブが４つのハブを含み；
ここで、ｉ）１つのジョイストと２つのハブとが据付けであり、
ii）２つのジョイストが回動自在であり、そして
iii)２つのハブと１つのジョイストが移動可能であり、
ここで、回動自在の２つのジョイスト、移動可能な２つのハブ、および移動可能な１つのジョイストが、据付けジョイストおよび据付けハブに対して初期位置から最終位置へと関節移動してワークプラットフォームを受け取ることができ；そして
ここで、複数のジョイストが初期位置および最終位置において、互いに対して実質的に揃って平坦である、ワークプラットフォーム支持システム。
【請求項２】
前記複数のジョイストがバージョイスト、オープンウェブジョイストまたは整形鋼のいずれかである、請求項１に記載のシステム。
【請求項３】
前記複数のハブの少なくとも１つに動作可能に取り付けられた懸架コネクタをさらに備えた、請求項１に記載のシステム。
【請求項４】
前記懸架コネクタが鎖である、請求項３に記載のシステム。
【請求項５】
前記複数のジョイストおよび前記複数のハブが第１の位置から第２の位置まで関節移動可能である、請求項１に記載のシステム。
【請求項６】
前記複数のハブが、前記複数のジョイストを受け取るように構成された複数の開口を含む、請求項１に記載のシステム。
【請求項７】
前記複数の開口が少なくとも１つのスロットを含む、請求項６に記載のシステム。
【請求項８】
前記ワークプラットフォームをさらに備えた、請求項１に記載のシステム。
【請求項９】
複数のジョイストの各々が、複数のハブそれぞれの少なくとも１つの軸に対して実質的に垂直に延び、そのハブの周りをそれぞれのジョイストが回転する、請求項１に記載のシステム。
【請求項１０】
前記ハブの少なくとも１つが、
第１の組の開口を有する第１の表面と、
前記第１の表面に実質的に平行な第２の表面であって、第２の組の開口を有する第２の表面と、
前記第１の表面と前記第２の表面との間に連結される構造エレメントと、
を備え、
前記第１の組の開口の中の各１つの開口が前記第２の組の開口の中の対応する１つの開口と共に同軸にある、
請求項１に記載のシステム。
【請求項１１】
前記第１の表面または第２の表面のいずれかが実質的に平面状である、請求項１０に記載のシステム。
【請求項１２】
前記構造エレメントが円柱である、請求項１０に記載のシステム。
【請求項１３】
前記構造エレメントが直円柱である、請求項１０に記載のシステム。
【請求項１４】
前記直円柱の長手方向軸が前記第１の表面および前記第２の表面に対して法線方向にある、請求項１３に記載のシステム。
【請求項１５】
前記第１の表面および前記第２の表面が前記少なくとも１つのジョイストと相互連結する、請求項１０に記載のシステム。
【請求項１６】
前記第１の表面および前記第２の表面の一方が支持開口を備え、前記支持開口が取付手段を受け取るように構成されている、請求項１０に記載のシステム。
【請求項１７】
前記取付手段が鎖である、請求項１６に記載のシステム。
【請求項１８】
前記支持開口がスロットを備える、請求項１６に記載のシステム。
【請求項１９】
少なくとも４つのハブ機構と、
少なくとも４つのジョイスト機構であって、４つのジョイスト機構の各々が前記４つのハブのうちの少なくとも２つと相互連結されるジョイスト機構と
を備えるワークプラットフォームシステムであって、
ここで、ｉ）１つのジョイスト機構と２つのハブ機構とが据付であり；
ii）２つのジョイスト機構が回動自在であり；かつ
iii)２つのハブ機構と１つのジョイスト機構とが移動可能であり；
ここで、回動自在の２つのジョイスト機構、移動可能な２つのハブ機構および移動可能な１つのジョイスト機構が、据付のジョイスト機構に対して初期位置から最終位置まで関節移動してワークプラットフォームを受け取ることができ、そして
ここで、少なくとも４つのジョイスト機構が初期位置および最終位置において各々に対して実質的に揃って平坦である、ワークプラットフォームシステム。
【請求項２０】
ワークプラットフォームを構造物から懸架するワークプラットフォームシステムであって、
複数のジョイストと、
前記複数のジョイストの少なくとも２つを相互連結するための複数のハブのうちの少なくとも１つと、  前記複数のジョイストの少なくとも１つおよび前記複数のハブの少なくとも１つを構造物から懸架するための懸架コネクタと、
を備えるシステムであって、
ここで、複数のジョイストが４つのジョイストを含み、複数のハブが４つのハブを含み、
ここで、ｉ）ジョイストの１つとハブの２つとが据付であり；
ii）２つのジョイストが回動自在であり；かつ
iii)２つのハブと１つのジョイストとが移動可能であり；
ここで、回動自在の２つのジョイスト、移動可能な２つのハブおよび移動可能な１つのジョイストが、据付のジョイストおよび据付のハブに対して初期位置から最終位置まで関節移動してワークプラットフォームを受け取ることができ、そして
ここで、前記複数のジョイストが初期位置および最終位置において互いに対して実質的に揃って平坦である、ワークプラットフォームシステム。
【請求項２１】
構造物にワークプラットフォーム支持システムを据え付ける方法であって、
複数のジョイストおよび複数のハブを提供する工程であって、前記複数のジョイストが４つのジョイストを含み、複数のジョイストが複数のハブを含む工程と、
ｉ）１つのジョイストおよび２つのハブが据付けであり、
ii）２つのジョイストが回動自在であり、そして
iii)２つのハブおよび１つのジョイストが移動可能であるように、前記複数のジョイストに前記複数のハブを回動自在に取り付ける工程と、
回動自在の２つのジョイスト、移動可能な２つのハブおよび移動可能な１つのジョイストを、据付のジョイストおよび据付のハブに対して初期位置から最終位置まで関節移動して、ワークプラットフォームを受け取る工程
を含む方法であって、
ここで、複数のジョイストが初期位置および最終位置において互いに対して実質的に揃って平坦である、方法。
【請求項２２】
前記関節移動させる工程が巻揚げ装置を必要としない、請求項２１に記載の方法。
【請求項２３】
前記関節移動させる工程が片持ち梁様式で完了する、請求項２１に記載の方法。
【請求項２４】
ワークプラットフォーム構造物であって：
第１のジョイストを使用して第２のハブに対して固定式に連結された第１のハブ；および
第２のジョイストを使用して第４のハブに連結された第３のハブであって、第３のハブおよび第４のハブがさらに第３のジョイストおよび第４のジョイストを使用して前記第１のハブおよび第２のハブに連結された、第３のハブ
を備え、
ここで、第２、第３および第４のジョイストならびに第３および第４のハブが、第１および第２のハブならびに第１のジョイストに対して初期位置から展開位置へと関節移動して、ワークプラットフォームを受け取り、かつ支持することができ、
ここで、第１、第２、第３および第４のジョイストの各々が、第１、第２、第３および第４のハブそれぞれの少なくとも１つの軸に対して実質的に垂直に延び、そのハブの周りをそれぞれのジョイストが回転し、
ここで、第１、第２、第３および第４のジョイストが初期位置および展開位置において各々に対して実質的に揃って平坦である、ワークプラットフォーム構造物。
【請求項２５】
前記第２、第３および第４のジョイストの少なくとも１つが、前記第１のハブおよび第２のハブの少なくとも１つに対して回転する、請求項２４に記載のワークプラットフォーム構造物。
【請求項２６】
前記第２、第３および第４のジョイストの少なくとも１つが、第１のジョイスト、第１のハブおよび第２のハブの少なくとも１つに対して移動する、請求項２４に記載のワークプラットフォーム構造物。
【請求項２７】
前記第２、第３および第４のジョイストの少なくとも１つが、第３のハブおよび第４のハブの少なくとも１つに対して回動する、請求項２４に記載のワークプラットフォーム構造物。
【請求項２８】
第１、第２、第３および第４のハブの各々が：
第１の組の開口を有する第１表面、
第１表面に実質的に平行であって、第２の組の開口を有する第２表面、および
前記第１表面と第２表面との間に連結された構造エレメント
を備え、
ここで、前記第１の組の開口の中の各々１つの開口が前記第２の組の開口の中のそれぞれ１つの開口と同軸にある、請求項２４に記載のワークプラットフォーム構造物。
【請求項２９】
ワークプラットフォーム構造物であって：
第１のジョイストを使用して互いに固定式に連結された第１のハブ対；および
第２のジョイストを使用して互いに連結された第２のハブ対であって、さらに第３および第４のジョイストを使用して第１のハブ対に連結された、第２のハブ対
を備え、
ここで、第２、第３および第４のジョイストならびに第２のハブ対が、第１のハブ対および第１のジョイストに対して初期位置から最終位置へと関節移動して、ワークプラットフォームを受け取り、かつ支持し、
ここで、第１、第２、第３および第４のジョイストの各々が、前記第１および第２のハブ対の中のそれぞれのハブの少なくとも１つの軸に対して実質的に垂直に延び、そのハブの周りをそれぞれのジョイストが回転し、そして
ここで、第１、第２、第３および第４のジョイストが初期位置および最終位置において互いに対して実質的に揃って平坦である、ワークプラットフォーム構造物。
【請求項３０】
前記第２のジョイスト、第３のジョイストまたは第４のジョイストが、前記第１のハブまたは前記第２のハブに対して回転する、請求項２９に記載のワークプラットフォーム構造物。
【請求項３１】
前記第２のジョイスト、第３のジョイストまたは第４のジョイストが、前記第１のジョイスト、前記第１のハブまたは前記第２のハブに対して移動する、請求項３０に記載のワークプラットフォーム構造物。
【請求項３２】
前記第２のジョイスト、第３のジョイストまたは第４のジョイストが、前記第３のハブまたは前記第４のハブの少なくとも１つに対して回動する、請求項３１に記載のワークプラットフォーム構造物。
【請求項３３】
ワークプラットフォーム構造物であって、
第１のジョイストを使用して互いに固定式に連結されたハブ対を備える、第１のハブジョイストアセンブリ；および
第２のジョイストを使用して互いに連結されたハブ対を備え、前記ハブ対がさらに第３のジョイストおよび第４のジョイストに連結された、第２のハブジョイストアセンブリ
を備え、
ここで、第２のハブジョイストアセンブリが第１のハブジョイストアセンブリに対して関節移動して、ワークプラットフォームを受け取り、かつ支持し、
ここで、前記第１および第２のハブジョイストアセンブリにおける各々のジョイストが、第１、第２、第３および第４のハブそれぞれの少なくとも１つの軸に対して実質的に垂直に延び、そのハブの周りをそれぞれのジョイストが回転し、そして
ここで、第１および第２のハブジョイストアセンブリにおける各々のジョイストが、初期位置および展開位置において互いに対して実質的に揃って平坦である、ワークプラットフォーム構造物。
【請求項３４】
前記第２、第３および第４のジョイストの少なくとも１つが、前記第１のハブおよび第２のハブの少なくとも１つに対して回転し、
前記第２、第３および第４のジョイストの少なくとも１つが、前記第１のジョイスト、第１のハブおよび第２のハブの少なくとも１つに対して移動し、そして
前記第２、第３および第４のジョイストの少なくとも１つが、前記第３のハブおよび前記第４のハブに対して回動する、請求項３３に記載のワークプラットフォーム構造物。
【請求項３５】
ワークプラットフォーム構造物であって、
固定された第１および第２のハブに連結された、据付けの第１ジョイスト、
第１または第２のハブのいずれか一方に連結された、回転可能な第２のジョイスト、
第１または第２のハブの他方に連結された、回転可能な第３のジョイスト、
回転可能な第２のジョイストまたは回転可能な第３のジョイストのいずれか一方に連結された第３のハブ、および第２または第３のジョイストの他方に連結された第４のハブ、ならびに
第３および第４のハブに連結された第４のジョイスト
を備え、
ここで、第２、第３および第４のジョイスト、ならびに第３および第４のハブが一緒になって、据付けの第１のジョイストおよび固定した第１および第２のハブに対して、初期位置から最終位置へと関節移動し、最終位置においてワークプラットフォームを受け取り、かつ支持でき、
ここで、第１、第２、第３および第４のハブの各々が、第１の組の開口を有する第１の表面、前記第１の表面と実質的に平行でありかつ第２の組の開口を有する第２の表面を備え、第１の組の各々１つの開口が第２の組のそれぞれ１つの開口と実質的に同軸にあり、そして
ここで、第１、第２、第３および第４のジョイストが初期位置および最終位置の両方において互いに対して実質的に揃って平坦である、ワークプラットフォーム構造物。
【請求項３６】
第２のジョイスト、第３のジョイストまたは第４のジョイストが、第１のジョイスト、第１のハブまたは第２のハブに対して移動する、請求項３５に記載のワークプラットフォーム構造物。
【請求項３７】
第２のジョイスト、第３のジョイストまたは第４のジョイストが、第３のハブまたは第４のハブに対して回動する、請求項３６に記載のワークプラットフォーム構造物。
【請求項３８】
前記第１、第２、第３および第４ジョイストの各々が前記第１、第２、第３および第４のハブそれぞれの少なくとも１つの軸に対して実質的に垂直に延び、そのハブの周りをそれぞれのジョイストが回転する、請求項３５に記載のワークプラットフォーム構造物。
【請求項３９】
ワークプラットフォーム構造物であって、
据付けの第１のジョイストおよび前記第１のジョイストに連結された１対のハブを備える、第１のハブジョイストアセンブリ；および
回転可能な第２のジョイスト、回転可能な第３のジョイストおよび移動可能な第４のジョイストを備え、１対のハブを使用して前記第２、第３および第４のジョイストが一緒に連結された、第２のハブジョイストアセンブリ
を備え、
ここで、第２のハブジョイストアセンブリの３つのジョイストのうちの少なくとも２つが第１のハブジョイストアセンブリのハブに連結され、
ここで、第２のハブジョイストアセンブリが第１のハブジョイストアセンブリに対して関節移動してワークプラットフォームを受け取りかつ支持し、
ここで、第１および第２のハブジョイストアセンブリの中のハブの各々が、第１の組の開口を有する第１の表面、前記第１の表面と実質的に平行でありかつ第２の組の開口を有する第２の表面、および第１の表面と第２の表面との間に連結される構造エレメントを備え、第１の組の開口の中の各々１つの開口が前記第２の組の開口の中のそれぞれ１つの開口に対して同軸にあり、
ここで、第１および第２のハブジョイストアセンブリにおけるジョイスト各々が第１の初期位置および第２の展開位置において互いに対して実質的に揃って平坦である、ワークプラットフォーム構造物。
【請求項４０】
第２のジョイスト、第３のジョイストまたは第４のジョイストが第３のハブまたは第４のハブに対して回動する、請求項３９に記載のワークプラットフォーム構造物。
【請求項４１】
ワークプラットフォーム構造物を作製する方法であって、第１のジョイストを使用して第２のハブに固定式に連結された第１のハブ、および第２のジョイストを使用して第４のハブに連結された第３のハブを備え、前記第３のハブおよび第４のハブがさらに第３および第４のジョイストを使用して前記第１および第２のハブに連結されるワークプラットフォーム構造物において、
第２、第３および第４のジョイストならびに第３および第４のハブを、第１および第２のハブならびに前記第１のジョイストに対して、初期位置から最終位置へと関節移動させて、ワークプラットフォーム構造物を受け取りかつ支持する工程
を含む方法であって、
ここで、第１、第２、第３および第４のハブの各々が、第１の組の開口を有する第１表面、前記第１表面と実質的に平行でありかつ第２の組の開口を有する第２表面、ならびに第１表面と第２表面との間に連結される構造エレメントを備えて、第１の組の開口の中の開口の各々１つが第２の組の開口の中のそれぞれ１つの開口と同軸にあり、
ここで、第１、第２、第３および第４のジョイストが初期位置および最終位置において互いに対して実質的に揃って平坦である、方法。
【請求項４２】
関節移動させる工程がさらに、第２、第３および第４のジョイストのうちの少なくとも１つを、第１のハブおよび第２のハブの少なくとも１つに対して回転させる工程を含む、請求項４１に記載の方法。
【請求項４３】
関節移動させる工程がさらに、第２、第３および第４のジョイストのうちの少なくとも１つを、第１のジョイスト、第１のハブおよび前記第２のハブの少なくとも１つに対して移動させる工程を含む、請求項４１に記載の方法。
【請求項４４】
関節移動させる工程がさらに、第２、第３および第４のジョイストのうちの少なくとも１つを、第３のハブおよび第４のハブに対して回動させる工程を含む、請求項４１に記載の方法。
【請求項４５】
ワークプラットフォームを組立てる方法であって、
複数のハブ機構および複数のハブ機構に連結された複数のジョイスト機構を備える、関節移動可能なワークプラットフォームアセンブリを提供する工程、
関節移動可能なワークプラットフォームアセンブリを、初期位置から最終位置へと関節移動させる工程であって、複数のジョイスト機構のうちの１つ以上を複数のハブ機構のうちの１つ以上に対して回転させる工程および移動させる工程の少なくとも１つを含む、関節移動させる工程、
最終位置において、関節移動された前記ワークプラットフォームアセンブリに懸架機構を連結する工程、ならびに
最終位置においてワークプラットフォームアセンブリを構造物から懸架して、関節移動されたワークプラットフォームアセンブリを安定化する工程
を含む方法であって、
ここで、複数のジョイスト機構が初期位置および最終位置において互いに対して実質的に揃って平坦である、方法。
【請求項４６】
関節移動させる工程が、複数のジョイスト機構のうちの１つ以上を１つ以上のハブ機構のうちのそれぞれに対して片持ちする工程を含む、請求項４５に記載の方法。
【請求項４７】
提供工程、関節移動工程、連結工程および懸架工程が少なくとも２回実施されてワークプラットフォームを組立てる、請求項４５または請求項４６に記載の方法。
【請求項４８】
ワークプラットフォームアセンブリを使用位置で組立てる方法であって、
少なくとも４つのハブ機構を提供する工程であって、各々のハブ機構が、
第１の組の開口を有する第１表面、
前記第１表面に実質的に平行でありかつ第２の組の開口を有して前記第１の組の開口の中の各々１つの開口が前記第２の組の開口中のそれぞれ１つの開口と同軸にある第２表面、ならびに
第１表面と第２表面との間に連結されて、長手軸が前記第１表面および第２表面の平面に対して少なくとも実質的に法線上にある構造エレメント
を備える工程、
少なくとも４つのハブ機構と動作可能に結合する少なくとも４つのジョイスト機構を提供する工程であって、少なくとも４つのジョイスト機構の各々が、前記少なくとも４つのハブ機構それぞれの少なくとも１つの軸に対して実質的に垂直方向に延び、そのハブ機構の周りをそれぞれのジョイストが回転する工程、
少なくとも４つのジョイスト機構の各々を少なくとも４つのハブ機構のうちの２つと連結してそれらの間の自由な回転を提供する工程であって、少なくとも４つのジョイスト機構のうちの１つと少なくとも４つのハブ機構のうちの１つとの間の連結が、ジョイスト機構の一方の末端にある開口と、それぞれ第１の組および第２の組の開口の各々の中の同軸上の開口とに、締付け手段を通すことによって得られる工程、
少なくとも４つのハブ機構および少なくとも４つのジョイスト機構のうちの少なくともいくつかを初期位置から最終位置へと関節移動させる工程であって、閉じたループ構造を形成するため、少なくとも４つのジョイスト機構のうちの１つ以上を、少なくとも４つのハブ機構のうちの１つ以上に対して回転させる工程、回動させる工程および移動させる工程のうちの少なくとも１つを含む、関節移動工程、
ワークプラットフォームシステムを形成するため、少なくとも４つのジョイスト機構、少なくとも４つのハブ機構またはそれれらの組合わせのうちの少なくとも１つの上側にワークプラットフォームを配置する工程、
を含む方法であって、
ここで、少なくとも４つのジョイスト機構が初期位置および最終位置において実質的に揃って平坦である、方法。
【請求項４９】
少なくとも４つのハブ機構と少なくとも４つのジョイスト機構とを関節移動させる工程がさらに、少なくとも４つのジョイスト機構のうちの１つ以上を、少なくとも４つのハブ機構のうちの少なくとも１つ以上に対して片持ちする工程を含む、請求項４８に記載の方法。
【請求項５０】
ワークプラットフォームアセンブリであって、
第１、第２、第３および第４のハブ機構であって、各ハブ機構が
第１の組の開口を有する第１表面、
前記第１表面に対して実質的に平行でありかつ第２の組の開口を有して、第１の組の開口の中の各１つの開口が第２の組の開口の中のそれぞれ１つの開口と同軸にある第２表面、および
第１表面と第２表面との間に連結される構造エレメントであって、構造エレメントの長手軸が前記第１および第２表面の平面に対して少なくとも実質的に法線にある構造エレメント、
を備える、ハブ機構、
第１、第２、第３および第４のハブ機構と動作可能に結合する第１、第２、第３および第４のジョイスト機構であって、第１、第２、第３および第４のジョイスト機構の各々がそれぞれの第１、第２、第３および第４のハブ機構のうちの少なくとも１つの軸に対して実質的に垂直に延び、そのハブ機構の周りをそれぞれのジョイストが回転する、ジョイスト機構、
ワークプラットフォームシステムを形成するため、第１、第２、第３および第４のジョイスト機構、第１、第２、第３および第４のハブ機構、またはそれらの組合わせのうちの少なくとも１つの上側に配置されるワークプラットフォーム
を備え、
ここで、ｉ）第１のハブ機構が第１のジョイスト機構を使用して第２のハブ機構に固定式に連結され；
ii）第３のハブ機構が第２のジョイスト機構を使用して第４のハブ機構に連結され；そして
iii)第３および第４のジョイスト機構が、それぞれ第１および第３のハブ機構と、第２および第４のハブ機構とに連結され、
ここで、第２、第３および第４のジョイスト機構のうちの少なくとも１つと、第３および第４のハブ機構のうちの少なくとも１つとが、第１および第２のハブ機構と、第１のジョイスト機構とに対する移動工程、回転工程および回動工程のうちの少なくとも１つによって初期位置から最終位置へと関節移動して、閉じたループ構造を得て、関節移動の際の最終位置において、第１および第３のジョイスト機構がそれぞれ第２および第４のジョイスト機構に対して実質的に平行であり、そして
ここで、第１、第２、第３および第４のジョイスト機構の各々が初期位置および最終位置において実質的に揃って平坦である、ワークプラットフォームアセンブリ。
【請求項５１】
前記ワークプラットフォームシステムアセンブリが、ワークプラットフォームシステム上に付与または伝達される意図したライブ荷重を少なくとも４回支持可能である、請求項５０に記載のワークプラットフォームアセンブリ。
【請求項５２】
第２、第３および第４のジョイスト機構と、第３および第４のハブ機構との関節移動が、巻き上げ装置を必要とすることなく片持ち様式で達成される、請求項５０に記載のワークプラットフォームアセンブリ。
【請求項５３】
ワークプラットフォームアセンブリを組立てる方法であって、
複数のハブ機構を提供する工程、
複数のハブ機構のうちの少なくとも１つに連結された複数のジョイスト機構を提供して、ジョイスト機構およびハブ機構両方の自由な回転を可能にし、複数のジョイスト機構各々がそれぞれの複数のハブ機構のうちの少なくとも１つの軸に対して実質的に垂直に延び、そのハブ機構の周りをそれぞれのジョイストが回転する工程、
複数のジョイスト機構のうちの少なくともいくつかを複数のハブ機構に対して第１位置から第２の展開位置へと関節移動させる工程であって、実質的な角度を介して回転工程、移動工程、回動工程および片持ち工程のうちの少なくとも１つを含む関節移動工程、
を含む方法であって、
ここで、複数のジョイスト機構が第１の初期位置および第２の展開位置において実質的に揃って平坦である、方法。
【請求項５４】
請求項５３に記載の方法であって、複数のハブ機構各々が：
第１の組の開口を有する第１表面；
第１の表面に対して平行であり、かつ第２の組の開口を有する第２表面；
第１表面と第２表面との間を連結して、長手方向軸が第１および第２表面の平面に対して法線方向にある構造エレメント
を備え、
ここで、第１の組の開口の中の各々１つの開口が第２の組の開口の中のそれぞれ１つの開口と同軸にある、方法。